(57)【要約】本発明は、異種物質混合容器に関するもので、化粧品の内容を入れる外容器（10）と、上部は開口されて下部は閉鎖された柱形状の部材として、前記外容器（10）の上部開口部（11）の内周縁の一部にその上面フランジ(25)が掛かって、その上面の内部に楕円形の第1のポンプセット(31)が挿入装着されて、化粧品の内容物を入れる内容器（20）と; 前記内容器（20）の一側に前記楕円形の第1のポンプセット(31)と並んで装着された楕円形の第2のポンプセット(32)と; 上部が開口され、下部外側に前記外容器（10）の上部開口部（11）に下部がねじ結合されるように内周縁に雌ねじが形成され、中間部は前記内容器(20)の上面フランジ(25)を押して固定すると同時に前記第1及び第2のポンプセット(31,32)が挿入されるポンプハウジング(52,53)が一体で形成されたショルダー部材(50)と; 前記第1及び第2のポンプセット(31,32)の上側に固定されて前記第1及び第2のポンプセット(31,32)を押して化粧品の内容物を外部に吐出させる押しボタン(60)と; 前記押しボタン(60)をカバーする下部だけ開口された円筒形状の部材として、前記ショルダー部材(50)の上部外周縁に形成された円柱型突起(51)に結合されるカバー部材(70)からなることを特徴とする。 このような本発明は、ショルダー部材(50)を第1及び第2のポンプセット(31,32)がそれぞれ挿入装着される第1及び第2のポンプハウジング(52,53)を一体で形成することにより、ショルダー部材(50)が堅固になって、前記内容器(20)に前記第1及び第2のポンプハウジング(52,53)の一つを挿入して構成することにより外容器(10)と内容器(20)に対して、互いに別の化粧品の内容物を貯蔵しておいて、一度のポンピングで同時に使用できる効果を持っている。 【代表図】 図1
2020512054.tif 000002
【特許請求の範囲】
【請求項１】
化粧品の内容物を入れる外容器（10）と; 
上部は開口されて下部は閉鎖された柱形状の部材として、前記外容器（10）の上部開口部（11）の内周縁の一部にその上面フランジ(25)が掛かって、その上面の内部に楕円形の第1楕円ポンプセット(31)が挿入装着されて、化粧品の内容物を入れる内容器（20）と;
前記内容器（20）の一側に前記楕円形の第1のポンプセット(31)と並んで装着された楕円形の第2のポンプセット(32)と; 
上部が開口され、下部外側に前記外容器（10）の上部開口部（11）に下部がねじ結合されるように内周縁に雌ねじが形成され、中間部は前記内容器(20)の上面フランジ(25)を押して固定することと同時に前記第1及び第2楕円ポンプセット(31,32)が挿入されるポンプハウジング(52,53)が一体で形成されたショルダー部材(50)と;
前記第1及び第2楕円ポンプセット(31,32)の上側に固定されて前記第1及び第2のポンプセット(31,32)を押して化粧品の内容物を外部に吐出させる押しボタン(60)と; 
前記押しボタン(60)をカバーする下部だけ開口された円筒形状の部材として、前記ショルダー部材(50)の上部外周縁に形成された円柱型突起(51)に結合されるカバー部材(70)からなることを特徴とする異種物質混合容器。
【請求項２】
前記内容器(20)は外周縁が前記外容器(10)の上部開口部(11)の内周縁に密着して装着されるように形成された円形部(26)と;
前記円形部(26)と対向される面に前記第2のポンプセット(32)が密着して実装されるように区画された楕円形部(27)からなることを特徴とする請求項1に記載された異種物質混合容器。
【発明の詳細な説明】
【技術分野】
【０００１】
本発明は、異種物質混合容器に関するもので、より詳細には、外容器内に内容器を挿入装着し、この内容器に各々ポンピングセットを装着しておき、この外容器と内容器にお互い違う化粧品の内容物を貯蔵しておいて一度のポンピングで同時に使用できるようにした異種物質混合容器を提供することにある。
【背景技術】
【０００２】
成分が異なる2つの物質（化粧品など）をあらかじめ混合すると混合状態での化学的な反応などにより変質したり、または性能が著しく低下するなどの問題点が発生することができ、二つの容器を準備して各々貯蔵した後、使用者が混合して使用する場合には、使用上の不便をもたらすという問題点が発生する。
【０００３】
これらの問題点を解決するために2つの物質を一つの容器から分離して貯蔵した後、使用者の操作で2つの物質を混合させることができる構造を有する異種物質混合容器が案出されて使用されている。
【０００４】
図4と図5は、従来の異種物質混合容器の断面図である。
【０００５】
従来の異種物質混合容器は、これらの図面に図示したように、内部に容器貯蔵空間（111a）が形成されており、上端に容器開口（111b）が形成されている容器本体部（111）と、容器本体部（111）の上端に結合された肩部（113）と、肩部（113）に一体に形成された内部キャップ（112）と、肩部（113）に結合された容器のキャップ（118）と、内部キャップ（112）の上側に配置される押しボタン（114）と、押しボタン（114）の底面に結合された加圧管（119）と、容器貯蔵空間（111a）に連通するように設置されるシリンダ(150）と、シリンダ（150）と押しボタン（114）との間に介在されたポンピング部（140）と、シリンダ（150）に結合された補助貯蔵空間本体部（161）を備えた補助貯蔵空間部（160）を持っている。
【０００６】
内部キャップ（112）は、中央領域にキャップ孔（112a）が形成されている。
【０００７】
このような構成を持つ内部キャップは（112）は、キャップ孔（112a）が容器貯蔵空間（111a）に連通するように肩部（113）に結合される。
【０００８】
押しボタン（114）は、底面と側面を連結するバール形状（片端が下方突出する形状）のボタン流路（114a）が形成されている。押しボタン（114）は、容器本体部（111）の高さ方向に沿って移動することができるようになる。
【０００９】
加圧管（119）は、ボタン流路（114a）とキャップ孔（112a）に連通するように形成される。
【００１０】
シリンダ（150）は、下部領域に狭径部（151）が形成されている。
【００１１】
狭径部（151）は、床面に通過孔（151a）が形成されており、内表面には、シリンダかかる突起（151b）が形成されている。ポンピング部（140）は、シリンダ（150）の内部に設置された環形態のポンピングピストン（141）と、ポンピングピストン（141）を通過して加圧管（119）の内部に進入するように設置された作動軸（145）と、作動軸（145）の内部に設置された作動棒（146）と、作動棒（146）の下端に形成された開閉凹溝部（147）と、上端が開閉凹溝部（147）の底面に到達し、下端が通過孔（151a）を通過してシリンダ（150）の外部に露出されるように設置されたストロ支持管（148）と、ストロ支持管（148）の内部に設置されたストロ（149）と、押しボタン（114）と内部キャップ（112）に両端が支持されるように設置された復帰スプリング（144）を持っている。
【００１２】
ポンピングピストン（141）は、シリンダ（150）の底面との間に中間貯蔵室（150a）が形成されるようにシリンダ（150）の内表面に密着設置される。
【００１３】
そして、ポンピングピストン（141）は、加圧管（119）の下端から離隔されるように、シリンダ（150）の内部に設置される。
【００１４】
これにより、ポンピングピストン（141）は、 押しボタン（114）を加圧操作して加圧管（119）を下降させるとき加圧管（119）がポンピングピストン（141）との離隔された距離だけ自ら下降した後、加圧管（119）と一緒に下降することができるようになる。
【００１５】
作動軸（145）は、直線上の作動軸本体部（145b）と、作動軸本体部（145b）の下端に形成されたステム（145c）を持っている。
【００１６】
作動軸本体部（145b）の内部空間が作動軸流路（145a）となる。
【００１７】
ステム（145c）は、上昇動作時ポンピングピストン（141）を上方向に加圧することになる。
【００１８】
このような構成を持つ作動軸（145）は、ステム（145c）がポンピングピストン（141）を通過して作動軸本体部（145b）が加圧管（119）に結合されるように設置される。これにより、作動軸（145）は、加圧管（119）と一緒に昇降することができるようになる。
【００１９】
開閉凹溝部（147）は、外表面の上側に多数の開閉凹溝流路形成突部（147a）が長さ方向に沿って突出形成されている。
【００２０】
開閉凹溝流路形成突部（147a）の相互間は離隔されていて、開閉凹溝流路形成突部（147a）との間の空間には、開閉凹溝流路が形成される。
【００２１】
ストロ支持管（148）は、外表面の上側に多数の支持管流路形成突部（148a）が長さ方向に沿って突出形成されている。
【００２２】
持管流路形成突部（148a）相互間は離隔されていて、支持管流路形成突部（148a）との間の空間には、支持管流路が形成される。復帰スプリング（144）は、両端が押しボタン（114）と、内部キャップ（112）に支持されるように設置される。
【００２３】
補助貯蔵空間部（160）は、補助貯蔵空間本体部(161)に加えてストロ支持管(148)の下段に形成された補助貯蔵空間密閉板部(162)を持っている。
【００２４】
補助貯蔵空間密閉板部(162)は、ストロ支持管（148）の長さ方向に垂直に配置されるように形成される。
【００２５】
補助貯蔵空間本体部(161)は、ストロ支持管（148）、補助貯蔵空間密閉板部（162）及びシリンダ（150）と協助して、密閉空間を形成することができる構造を持っている。
【００２６】
このような構成を持つ従来の異種物質混合容器の動作を図6及び図7を参照して説明すると、次の通りである。説明の便宜のために、容器本体部（111）の内部空間、すなわち容器貯蔵空間（111a）には、液状化粧品が貯蔵されており、補助貯蔵空間部（160）には、粉末形態の化粧品が貯蔵されているものと仮定する。
【００２７】
まず、押しボタン（114）を下方向に加圧すると加圧管（119）がポンピングピストン（141）との離隔された距離だけ自ら下降し、その後には加圧管（119）がポンピングピストン（141）と一緒に下降する。押しボタン（114）が加圧されると復帰スプリング（144）には、弾性力が蓄積される。
【００２８】
加圧管（119）が下降すると、開閉凹溝部（147）とストロ支持管（148）も下降する。ここで開閉凹溝部（147）の下降は、開閉凹溝流路形成突部（147a）がシリンダかかる突起（151b）を越えるようになる。
【００２９】
ストロ支持管（148）が下降すると、補助貯蔵空間本体部(161)の下段を越えるように補助貯蔵空間密閉板部（162）も下降する。
【００３０】
補助貯蔵空間密閉板部（162）が下降すると、補助貯蔵空間部（160）に貯蔵された粉末化粧品と容器貯蔵空間（111a）に貯蔵された液状化粧品は、混合される（図6參照）。
【００３１】
次の押しボタン（114）に対する加圧力を解除すると、復帰スプリング（144）に蓄積された弾性力によって押しボタン（114）は、元の位置に上昇する。押しボタン（114）が上昇すると作動軸（145）とポンピングピストン（141）は上昇し、作動軸流路（145a）は、ポンピングピストン（141）によって閉鎖される。
【００３２】
そして作動軸（145）が上昇するときに作動棒（146）と開閉凹溝部（147）も上昇する。ここで作動棒（146）と、開閉凹溝部（147）の上昇距離は開閉凹溝流路形成突部（147a）とシリンダかかる突起（151b）の間のかかり作用によって制限される。
【００３３】
作動棒（146）と開閉凹溝部（147）が上昇すると、開閉凹溝部（147）の溝の床面とストロ（149）の上端は離隔され、これにより、容器貯蔵空間（111a）は、ストロ（149）、開閉凹溝流路形成突部（147a）との間の空間に形成された開閉凹溝流路と支持管流路形成突部（148a）の間の空間に形成された支持管流路を通して中間貯蔵室（150a）に連結される。
【００３４】
このように容器貯蔵空間（111a）が、中間貯蔵室（150a）に連結された状態で作動軸（145）が上昇して中間貯蔵室（150a）に負圧が発生し、容器貯蔵空間（111a）の混合化粧品は、中間貯蔵室（150a）に流入される（図7參照）。
【００３５】
次に押しボタン（114）を下方向に加圧すると加圧管（119）がポンピングピストン（141）との離隔された距離だけ自ら下降し、以後は加圧管（119）がポンピングピストン（141）と一緒に下降する。
【００３６】
加圧管（119）がポンピングピストン（141）との離隔された距離だけ自ら下降する間に作動軸流路（145a）は、中間貯蔵室（150a）に連通することになる。
【００３７】
作動軸流路（145a）が、中間貯蔵室（150a）に連通すると、中間貯蔵室（150a）内の混合化粧品は、作動軸流路（145a）、加圧管（119）及びボタン流路（114a）を順次的に通過して外部に排出される。
【００３８】
一方、押しボタン（114）が下降するときに復帰スプリング（144）には、弾性力が蓄積される。
【００３９】
次に押しボタン（114）に対する加圧力を解除すると、復帰スプリング（144）に蓄積された弾性力によって押しボタン（114）は、元の位置に上昇する。
【００４０】
押しボタン（114）が上昇すると作動軸（145）とポンピングピストン（141）は上昇し、作動軸流路（145a）は、ポンピングピストン（141）によって閉鎖される。
【００４１】
作動軸（145）が上昇すると、中間貯蔵室（150a）に負圧が発生して容器貯蔵空間（111a）の混合化粧品は、中間貯蔵室（150a）に流入される。
【００４２】
前述した構成を有する従来の異種物質混合容器は、2002年実用新案登録出願第15583号（考案の名称：混合式化粧品容器）に開示されている。
【００４３】
さて、従来の異種物質混合容器によると、シリンダ（150）の内部に設置された作動棒（146）、開閉凹溝部（147）及びストロ支持管（148）を通して補助貯蔵空間密閉板部（162）を下降させる方法で異種物質が混合されるため、異種物質混合構造が複雑で、製品の組立が難しいという問題点があった。
【００４４】
そして作動棒（146）、開閉凹溝部（147）及びストロ支持管（148）がシリンダ（150）の内部に配置されているので、異種物質混合構造により、中間貯蔵室（150a）の大きさが小さくなるという問題点があった。
【発明の概要】
【発明が解決しようとする課題】
【００４５】
本発明は、前記の従来技術の要望に応えるために発明されたもので、外容器内に内容器を挿入装着し、この内容器にそれぞれポンプセットの中で一つを装着しておき、この外容器と内容器の互に別の化粧品の内容物を貯蔵して置いて、一度のポンピングで同時に使用できるようにした異種物質混合容器を提供することにある。
【課題を解決するための手段】
【００４６】
本発明の第1の実施例による異種物質混合容器は、化粧品の内容物を入れる外容器（10）と; 上部は開口されて下部は閉鎖された柱形状の部材として、前記外容器（10）の上部開口部（11）の内周縁の一部にその上面フランジ(25)が掛かって、その上面の内部に楕円形の第1ポンプセット(31)が挿入装着されて、化粧品の内容物を入れる内容器（20）と; 前記内容器（20）の一側に前記楕円形の第1のポンプセット(31)と並んで装着された楕円形の第2ポンプセット(32)と; 上部が開口され、下部外側に前記外容器（10）の上部開口部（11）に下部がねじ結合されるように内周縁に雌ねじが形成され、中間部は前記内容器(20)の上面フランジ(25)を押して固定することと同時に前記第1及び第2のポンプセット(31,32)が挿入されるポンプハウジング(52,53)が一体で形成されたショルダー部材(50)と; 前記第1及び第2のポンプセット(31,32)の上側に固定されて前記第1及び第2のポンプセット(31,32)を押して化粧品の内容物を外部に吐出させる押しボタン(60)と; 前記押しボタン(60)をカバーする下部だけ開口された円筒形状の部材として、前記ショルダー部材(50)の上部外周縁に形成された円柱型突起(51)に結合されるカバー部材(70)からなることを特徴とする。
【００４７】
前記内容器(20)は外周縁が前記外容器(10)の上部開口部(11)の内周縁に密着されて装着されるように形成された円形部(26)と; 前記円形部に代向される面に前記第2のポンプセット(32)が密着されて装着されるように区画された楕円型部(27)からなることを特徴とする。
【発明の効果】
【００４８】
本発明の異種物質の混合容器によれば、ショルダー部材(50)を第1及び第2のポンプセット(31,32)がそれぞれ挿入装着される第1及び第2のポンプハウジング(52,53)を一体で形成することにより、ショルダー部材(50)が堅固になって、前記内容器(20)に前記第1及び第2のポンプハウジング(52,53)の一つを挿入して構成することにより外用器(10)と内容器に互いに別の化粧品の内容物を貯蔵しておいて、1度のポンピングで同時に使用できる効果を持っている。
【図面の簡単な説明】
【００４９】
【図１】本発明の第1実施例による異種物質混合容器を図示した断面図である。
【図２】図1のB-B線による断面図である。
【図３】本発明の第1実施例による異種物質混合容器の内容器を図示した斜視図である。
【図４】従来の異種物質混合容器の断面図である。
【図５】従来の異種物質混合容器の断面図である。
【図６】従来の異種物質混合容器の使用方法を示した図面である。
【図７】従来の異種物質混合容器の使用方法を示した図面である。
【発明を実施するための最良の形態】
【００５０】
以下、本発明の好ましい実施例を添付した図面を参照して、当該分野の通常の知識を持つ者が容易に実施できるように説明することにする。添付された図面で構成に表記された図面番号は、他の図面でも同一の構成を表記する際に、できるだけ同一の図面番号を使用していることに留意しなければならない。又、本発明の説明することにおいて、関連された公知の機能又は公知の構成に対する具体的な説明が本発明の要旨を不明確と判断される場合は、その詳細な説明を省略する。そして図面に提示されたいくつかの特徴は説明の容易さのために拡大又は縮小又は単純化されたものであり、図面及びその構成要素は必ず適切な比率では図示されてはいない。しかし当業者なら、このような詳細事項を容易に理解できる。
【００５１】
'第1'、'第2'などのように、序数を含む用語は多様な構成要素を説明するのに使用できるが、前記の構成要素は前記用語によって限定されない。前記の用語は一つの構成要素を他の構成要素から区別する目的のみに使用される。例えば、本発明の権利範囲を超えないで第1構成要素は第2構成要素と命名されることができ、類似するように第2構成要素も第1構成要素と命名されることができる。"及び/又は"という用語は、複数の関連する記載項目の組み合わせ又は複数の関連する記載項目の中にいずれかの項目を含む。
【００５２】
また、'前面'、'後面'、'上面'、'下面'などのように図面に見えるものを基準に記述された相対的な用語は'第1'、'第2'などのような序数に代替することができる。
【００５３】
'第1'、'第2'などの序数において、その順序は言及された順序又は任意で定められたものであり、その順序は必要に応じて任意に変更することができる。
【００５４】
本発明で使用した用語は、単に特定の実施例を説明するために使用されたもので、本発明を限定する意図ではない。単数の表現は文脈上明らかに別の方法で意味しない限り、複数の表現を含んでいる。本出願で、"含む"又は"持つ"などの用語は、明細書上に記載された特徴、数字、段階、動作、構成要素、部品またはこれらを組み合わせたものが存在することを指定しようとするのであって、一つ又はそれ以上の他の特徴や数字、段階、動作、構成要素、部品又はこれらを組み合わせたものなどの存在又は付加可能性を予め排除しないものと理解されるべきである。
【００５５】
他の方法で定義されない限り、技術的あるいは科学的な用語を含めて、ここで使用されるすべての用語は、本発明が属する技術分野で通常の知識を持った者によって一般的に理解されるものと同じ意味を持っている。一般的に使用される辞書に定義されているような用語は、関連技術の文脈上持つ意味と一致する意味を持つものと解釈されるべきであり、本出願で明らかに定義しない限り、理想的あるいは過度に形式的な意味に解釈されない。
【００５６】
以下、 本発明の好ましい実施例を添付された図面を参照して詳細に説明する。併せて、本発明の説明することにおいて関連された公知の構成又は機能に対する具体的な説明が本発明の要旨を曖昧にすることができると判断される場合にはその詳細な説明を省略する。
【００５７】
図1は、本発明の第1の実施例による異種物質混合容器を図示した断面図であり、図2は、図1のB-B線による断面図であり、図3は、本発明の第1の実施例による異種物質混合容器の内容器を図示した斜視図である。
【００５８】
図1乃至図3に図示されたとおり、本発明の第1、実施例による異種物質混合容器は、化粧品の内容物を入れる外用器(10)と; 上部は開口されて下部は閉鎖された柱の形状の部材として、前記の外用器(10)の上部開口部(11)の内周縁の一部にその上面フランジ(25)が掛かって、その上面の内部に楕円形の第1ポンプセット(31)が挿入装着されて、化粧品の内容物を入れる内容器(20)と; 前記内容器(20)の一側に前記の楕円形の第1のポンプセット(31)と並んで装着された楕円形の第2のポンプセット(32)と; 上部が開口され、下部の外側に前記外用器(10)の上部開口部(11)に下部がネジ結合されるように内周縁に雌ねじが形成され、中間部は前記内容器(20)の上面フランジ(25)を押して固定すると同時に、前記第1及び第2のポンプセット(31,32)がそれぞれ挿入される第1及び第2のポンプハウジング(52,53)が一体で形成されたショルダー部材(50)と; 前記第1及び第2のポンプセット(31,32)の上側に固定されて前記第1及び第2のポンプセット(31,32)を押して化粧品の内容物を外部に吐出させる押しボタン(60)と; 前記押しボタン(60)をカバーする下部だけ開口された円筒形状の部材として、前記ショルダー部材(50)の上部外周縁に形成された円柱形突起（51）に結合されるカバー部材（70）からなる。
【００５９】
前記尚容器(20)は外周縁が前記外容器(10)の上部開口部(11)の内周縁に密着して装着されるように形成された円形部(26)と、前記円形部(26)と対向される面に前記第2のポンプセット(32)が密着して装着されるように区画された楕円形部(27)からなる。
【００６０】
前記第1及び第2のポンプセット(31,32)は、その外観形状が円形または楕円形になっている。望ましいのは、楕円型のポンプセットである。 
【００６１】
前記のように構成された本発明の第2実施例による異種物質混合容器は、第1のポンプセット(31)が装着される内容器(20)を第2のポンプセット(32)の一側に装着、つまり外容器(10)の上部開口部(11)の内周縁に装着して構成することで、外容器(10)と内容器(20)に互いに他の化粧品の内容物を貯蔵しておいて一度のポンピングで同時に使用できるのである。
【００６２】
以上のように、本発明の詳細な説明で、具体的な実施例について説明したが、本発明の技術が当業者によって容易に変形実施される可能性が自明であり、このような変形された実施例は、本発明の特許請求範囲に記載された技術思想に含まれるだろう。
【符号の説明】
【００６３】
10：外容器 
11：上部開口部   
20：内容器             
21：中央空間部
22：外周縁装着空間部                                          
25 : 上面フランジ
26 : 円形部  
27 : 楕円形部     
31：第1のポンプセット        
32：第2のポンプセット
50： ショルダー部材  
51 : 円柱形突起
52 : 第1のポンプハウジング
53 : 第2のポンプハウジング
60 : 押しボタン
70 : カバー部材
【図１】
2020512054.tif 000003
【図２】
2020512054.tif 000004
【図３】
2020512054.tif 000005
【図４】
2020512054.tif 000006
【図５】
2020512054.tif 000007
【図６】
2020512054.tif 000008
【図７】
2020512054.tif 000009
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
化粧品の内容物を入れる外容器（10）と; 
上部は開口されて下部は閉鎖された柱形状の部材として、前記外容器（10）の上部開口部（11）の内周縁の一部にその上面フランジ(25)が掛かって、その上面の内部に楕円形の第1楕円ポンプセット(31)が挿入装着されて、化粧品の内容物を入れる内容器（20）と;
前記内容器（20）の一側に前記楕円形の第1のポンプセット(31)と並んで装着された楕円形の第2のポンプセット(32)と; 
上部が開口され、下部外側に前記外容器（10）の上部開口部（11）に下部がねじ結合されるように内周縁に雌ねじが形成され、中間部は前記内容器(20)の上面フランジ(25)を押して固定することと同時に前記第1及び第2楕円ポンプセット(31,32)が挿入されるポンプハウジング(52,53)が一体で形成されたショルダー部材(50)と;
前記第1及び第2楕円ポンプセット(31,32)の上側に固定されて前記第1及び第2のポンプセット(31,32)を押して化粧品の内容物を外部に吐出させる押しボタン(60)と; 
前記押しボタン(60)をカバーする下部だけ開口された円筒形状の部材として、前記ショルダー部材(50)の上部外周縁に形成された円柱型突起(51)に結合されるカバー部材(70)からなることを特徴とする異種物質混合容器。
【請求項２】
前記内容器(20)は外周縁が前記外容器(10)の上部開口部(11)の内周縁に密着して装着されるように形成された円形部(26)と;
前記円形部(26)と対向される面に前記第2のポンプセット(32)が密着して実装されるように区画された楕円形部(27)からなることを特徴とする請求項1に記載された異種物質混合容器。
【請求項３】
前記第1及び第2のポンプセット(31,32)は、その外観形状が円形及び楕円形の中から選択された一つであることを特徴とする請求項2に記載された異種物質混合容器。
【手続補正２】
【補正対象書類名】明細書
【補正対象項目名】００４７
【補正方法】変更
【補正の内容】
【００４７】
前記内容器(20)は外周縁が前記外容器(10)の上部開口部(11)の内周縁に密着されて装着されるように形成された円形部(26)と; 前記円形部に代向される面に前記第2のポンプセット(32)が密着されて装着されるように区画された楕円型部(27)からなることを特徴とする。また、前記第1及び第2のポンプセット(31,32)は、その外観形状が円形及び楕円形の中から選択された一つであっても良い。
【国際調査報告】
2020512054.tif 000010
2020512054.tif 000011
2020512054.tif 000012
2020512054.tif 000013